(57)【特許請求の範囲】
【請求項１】
映像信号および音声信号を出力するための第１の信号線と、動作制御用の各種コマンドを入出力するための第２の信号線と、前記各種コマンドに基づく動作制御を行うために必要となる接続相手の識別情報を取得するための第３の信号線と、接続相手との電気的な接続状態を検出するための第４の信号線とを含むケーブルを取り外し自在に装着可能なコネクタを有する情報処理装置であって、
接続相手と電気的に接続された状態になったことを前記第４の信号線により検出した場合に、前記第３の信号線を用いて当該接続相手の識別情報を取得する機能を有する、映像信号および音声信号の前記第１の信号線からの出力を制御するグラフィックスコントローラと、
接続相手と電気的に接続された状態になったことを前記第４の信号線により検出した場合に、前記第３の信号線を用いて当該接続相手の識別情報を取得する機能を有する、前記各種コマンドを前記第２の信号線経由で入出力する制御コントローラと、
前記情報処理装置が電源オン状態の間は前記グラフィックスコントローラおよび前記制御コントローラ双方に動作用の電力を供給し、前記情報処理装置が電源オフ状態の間は前記制御コントローラのみに動作用の電力を供給する電力供給制御手段と、
を具備し、
前記制御コントローラは、前記情報処理装置が電源オン状態にある場合、接続相手と電気的に接続された状態になったことが前記第４の信号線により検出された際に前記第３の信号線を用いて当該接続相手の識別情報を取得する機能を無効にする手段を有する
ことを特徴とする情報処理装置。
【請求項２】
前記制御コントローラは、前記情報処理装置が電源オフ状態にある時、前記情報処理装置の電源オンを要求するコマンドを前記第２の信号線経由で入力した場合に、前記情報処理装置の電源オン状態への移行を前記電力供給制御手段に指示する手段を有することを特徴とする請求項１記載の情報処理装置。
【請求項３】
前記コネクタは、ＨＤＭＩ（High-Definition-Multimedia Interface）ケーブルを取り外し自在に装着することを特徴とする請求項１記載の情報処理装置。
【請求項４】
映像信号および音声信号を出力するための第１の信号線と、動作制御用の各種コマンドを入出力するための第２の信号線と、前記各種コマンドに基づく動作制御を行うために必要となる接続相手の識別情報を取得するための第３の信号線と、接続相手との電気的な接続状態を検出するための第４の信号線とを含むケーブルを取り外し自在に装着可能なコネクタを有する情報処理装置であって、
接続相手と電気的に接続された状態になったことを前記第４の信号線により検出した場合に、前記第３の信号線を用いて当該接続相手の識別情報を取得する機能を有する、映像信号および音声信号の前記第１の信号線からの出力を制御するグラフィックスコントローラと、
前記グラフィックスコントローラを含む各部への動作用の電力供給を制御する電力供給制御手段と、
を具備し、
前記電力供給制御手段は、
前記各種コマンドを前記第２の信号線経由で入出力する制御コントローラを内蔵し、かつ、接続相手と電気的に接続された状態になったことを前記第４の信号線により検出した場合に、前記第３の信号線を用いて当該接続相手の識別情報を取得する機能を備え、
前記情報処理装置が電源オン状態にある場合、接続相手と電気的に接続された状態になったことが前記第４の信号線により検出された際に前記第３の信号線を用いて当該接続相手の識別情報を取得する機能を無効にする手段を有する
ことを特徴とする情報処理装置。
【請求項５】
前記コネクタは、ＨＤＭＩ（High-Definition-Multimedia Interface）ケーブルを取り外し自在に装着することを特徴とする請求項４記載の情報処理装置。
【発明の詳細な説明】
【技術分野】
【０００１】
この発明は、例えばテレビジョン放送受信機等に対して映像信号および音声信号を送出可能なパーソナルコンピュータ等に適用して好適な動作制御技術に関する。
【背景技術】
【０００２】
近年、テレビジョン放送番組データを視聴・録画したり、ＤＶＤ（Digital Versatile Disc）に格納されたＡＶ（Audio and Visual）コンテンツを再生したりする機能を有するパーソナルコンピュータが広く普及している。これにより、例えばバッテリ駆動可能なノートブック型のパーソナルコンピュータを携行すれば、移動中や外出先でも、（音声を含む）画像データを利用できるようになった。
【０００３】
また、映像の高精細化が進んでおり、ＨＤ（High Definition）  ＤＶＤ規格の記録メディアに格納された高精細画像データを再生可能なパーソナルコンピュータも普及し始めている。この種のパーソナルコンピュータでは、高精細映像信号を外部出力する機構を備えるのが一般的なので、例えば在宅時には、大画面の高精細テレビジョン放送受信機等と接続することにより、当該パーソナルコンピュータに再生させた高精細映像を大画面の高精細テレビジョン放送受信機で楽しむことも可能となる。
【０００４】
さらに、最近では、このパーソナルコンピュータとテレビジョン放送受信機とを接続する場合のように、複数の電子機器を接続した場合に、一方の電子機器に対する操作で他方の電子機器に対する操作指示も行えるように工夫がなされ始めている。これにより、例えば一方の電子機器のリモートコントローラのみで、ユーザは、２つの電子機器に対する操作指示が行うことができる。そして、接続相手からの要求に応じて動作制御を適切に行うための提案等は、これまでも種々なされている（例えば特許文献１等参照）。
【特許文献１】特開平９−２８４４３９号公報
【発明の開示】
【発明が解決しようとする課題】
【０００５】
ところで、パーソナルコンピュータは、オペレーティングシステム（ＯＳ）によって資源管理が一元的に行われており、このＯＳの配下で動作する各種アプリケーションプログラムが生成する画像データを、グラフィックスコントローラがディスプレイ装置に表示制御する。前述の高精細映像信号の外部出力も、このグラフィックスコントローラによって制御される。即ち、大画面の高精細テレビジョン放送受信機等とのデータ授受は、このグラフィックスコントローラによって基本的には実行される。
【０００６】
ノートブック型のようなバッテリ駆動可能なパーソナルコンピュータでは、バッテリによる駆動時間を少しでも長く確保するために、様々な省電力化が図られている。この省電力化のために、電源オフ状態においては、グラフィックスコントローラに対する電力供給も遮断されるのが一般的である。
【０００７】
このため、大画面の高精細テレビジョン放送受信機と接続され、かつ、電源オフ状態にあるパーソナルコンピュータに対し、当該大画面の高精細テレビジョン放送受信機側の操作で電源オン状態に移行させる等の操作指示を行おうとしても、この操作指示に基づく動作制御を行うために必要な情報を取得するためのデータ授受を司るグラフィックスコントローラが作動できず、当該操作指示を受け付けられないという問題があった。
【０００８】
本発明は、このような事情を考慮してなされたものであり、省電力化を維持しつつ、電源オフ状態にあっても接続相手からの操作指示に応じて動作制御を行うことが可能な情報処理装置を提供することを目的とする。
【課題を解決するための手段】
【０００９】
前述した目的を達成するために、この発明の情報処理装置は、映像信号および音声信号を出力するための第１の信号線と、動作制御用の各種コマンドを入出力するための第２の信号線と、前記各種コマンドに基づく動作制御を行うために必要となる接続相手の識別情報を取得するための第３の信号線と、接続相手との電気的な接続状態を検出するための第４の信号線とを含むケーブルを取り外し自在に装着可能なコネクタを有する情報処理装置であって、接続相手と電気的に接続された状態になったことを前記第４の信号線により検出した場合に、前記第３の信号線を用いて当該接続相手の識別情報を取得する機能を有する、映像信号および音声信号の前記第１の信号線からの出力を制御するグラフィックスコントローラと、接続相手と電気的に接続された状態になったことを前記第４の信号線により検出した場合に、前記第３の信号線を用いて当該接続相手の識別情報を取得する機能を有する、前記各種コマンドを前記第２の信号線経由で入出力する制御コントローラと、前記情報処理装置が電源オン状態の間は前記グラフィックスコントローラおよび前記制御コントローラ双方に動作用の電力を供給し、前記情報処理装置が電源オフ状態の間は前記制御コントローラのみに動作用の電力を供給する電力供給制御手段と、を具備し、前記制御コントローラは、前記情報処理装置が電源オン状態にある場合、接続相手と電気的に接続された状態になったことが前記第４の信号線により検出された際に前記第３の信号線を用いて当該接続相手の識別情報を取得する機能を無効にする手段を有することを特徴とする。
【００１０】
また、この発明の情報処理装置は、映像信号および音声信号を出力するための第１の信号線と、動作制御用の各種コマンドを入出力するための第２の信号線と、前記各種コマンドに基づく動作制御を行うために必要となる接続相手の識別情報を取得するための第３の信号線と、接続相手との電気的な接続状態を検出するための第４の信号線とを含むケーブルを取り外し自在に装着可能なコネクタを有する情報処理装置であって、接続相手と電気的に接続された状態になったことを前記第４の信号線により検出した場合に、前記第３の信号線を用いて当該接続相手の識別情報を取得する機能を有する、映像信号および音声信号の前記第１の信号線からの出力を制御するグラフィックスコントローラと、前記グラフィックスコントローラを含む各部への動作用の電力供給を制御する電力供給制御手段と、を具備し、前記電力供給制御手段は、前記各種コマンドを前記第２の信号線経由で入出力する制御コントローラを内蔵し、かつ、接続相手と電気的に接続された状態になったことを前記第４の信号線により検出した場合に、前記第３の信号線を用いて当該接続相手の識別情報を取得する機能を備え、前記情報処理装置が電源オン状態にある場合、接続相手と電気的に接続された状態になったことが前記第４の信号線により検出された際に前記第３の信号線を用いて当該接続相手の識別情報を取得する機能を無効にする手段を有することを特徴とする。
【発明の効果】
【００１２】
本発明によれば、省電力化を維持しつつ、電源オフ状態にあっても接続相手からの操作指示に応じて動作制御を行うことが可能な情報処理装置を提供することができる。
【発明を実施するための最良の形態】
【００１３】
以下、図面を参照して、この発明の実施形態を説明する。この発明の実施形態に係る情報処理装置は、例えばノートブック型パーソナルコンピュータ１として実現される。
【００１４】
図１は、ノートブック型パーソナルコンピュータ１のディスプレイユニットを開いた状態における斜視図である。本コンピュータ１は、コンピュータ本体１０１と、ディスプレイユニット１０２とから構成されている。ディスプレイユニット１０２にはＬＣＤ（Liquid Crystal Display）１０３から構成される表示装置が組み込まれており、そのＬＣＤ１０３の表示画面は、ディスプレイユニット１０２のほぼ中央に位置されている。
【００１５】
ディスプレイユニット１０２は、コンピュータ本体１０１に対して開放位置と閉塞位置との間を回動自在に取り付けられている。コンピュータ本体１０１は薄い箱形の筐体を有しており、その上面にはキーボード１０４、本コンピュータ１を電源オン／オフするためのパワーボタン１０５、タッチパッド１０６等が配置されている。
【００１６】
コンピュータ本体１０１の側面には、ＨＤＭＩ（High-Definition Multimedia Interface）ＨＤＭＩコネクタ１８が設けられており、図２に示すように、ＨＤＭＩケーブルＡで映像機器２と接続することができる。映像機器２は、例えば大画面の高精細テレビジョン放送受信機（ＴＶ）である。本コンピュータ１には高精細画像データを再生するソフトウェア（アプリケーションプログラム）が種々インストールされており、ＨＤＭＩケーブルＡで接続することにより、これらアプリケーションプログラムが再生した高精細映像を映像機器２によって楽しむことができる。
【００１７】
また、このＨＤＭＩケーブルＡで接続される本コンピュータ１と映像機器２とは、当該ＨＤＭＩケーブルＡを介して、接続相手を動作制御するための各種コマンドを相互に送受信することができる。ここでは、映像機器２から送信される各種コマンドに基づき、本コンピュータ１が動作制御を行う場合を想定する。
【００１８】
この映像機器２から送信される各種コマンドに基づく動作制御を行うためには、映像機器２が保持するＥＤＩＤ情報、より具体的には、当該ＥＤＩＤ情報に含まれる物理アドレスを取得する必要がある。従って、本コンピュータ１が電源オフ状態にある時、映像機器２から電源オンを要求するコマンドを受信して、電源オン状態に移行すべく動作制御を行うためには、電源オフ状態にあっても当該ＥＤＩＤ情報を取得することができる機構を備えなければならない。本コンピュータ１は、省電力化を維持しつつ、この機構を実現したものであり、以下、この点について詳述する。
【００１９】
（第１実施形態）
まず、図３および図４を参照して、本発明の第１実施形態を説明する。図３および図４は、本コンピュータ１のシステム構成を示す図であり、図３には本コンピュータ１の電源オン時における状態、図４には本コンピュータ１の電源オフ時における状態が併せて示されている。
【００２０】
図３および図４に示すように、第１実施形態のコンピュータ１は、ＣＰＵ１１、チップセット１２、主メモリ１３、グラフィックスコントローラ１４、エンベデッドコントローラ／キーボードコントローラ（ＥＣ／ＫＢＣ）１５、電源制御回路（ＰＳＣ）１６、ＣＥＣ（機器間双方向制御）コントローラ１７等を備えている。
【００２１】
ＣＰＵ１１は、本コンピュータ１内の各部の動作を制御するプロセッサである。チップセット１２は、ＣＰＵ１１のローカルバスとＬＰＣ（low pin count）バスとを中継するブリッジデバイスである。チップセット１２は、バスを介してグラフィックスコントローラ１４との通信を実行する機能を有しており、また、主メモリ１３をアクセス制御するメモリコントローラも内蔵されている。
【００２２】
主メモリ１３は、本コンピュータ１の主記憶となるメモリデバイスであり、ＣＰＵ１１が直接的にアクセスすることのできる作業領域を提供する。グラフィックスコントローラ１４は、本コンピュータ１が提供するユーザインタフェースのアウトプット側を司るデバイスであり、ＬＣＤ１０３を制御する。また、グラフィックスコントローラ１４は、映像信号をＨＤＭＩコネクタ１７から外部出力する機能も有している。即ち、ＨＤＭＩケーブルＡで接続される映像機器２とのデータ授受は、このグラフィックスコントローラ１４によって基本的には実行される。図示のＴＭＤＳ信号線が、映像信号および音声信号（いわゆるＡＶ信号）を転送するための信号線であり、ＤＤＣ信号線が、前述のＥＤＩＤ情報を含む各種情報を転送するための信号線である。
【００２３】
また、ＨＰＤ信号線は、映像機器２との電気的な接続状態を検出するための信号線である。例えば複数の入力系統を持つ映像機器２の場合、選択された入力系統のＨＰＤ信号線上のＨＰＤ信号のみを接続確立を示す値に設定することが一般的である。従って、このＨＰＤ信号線を監視することで、本コンピュータ１は、映像機器２との電気的な接続状態を検出することができる。
【００２４】
ＥＣ／ＫＢＣ１５は、電力管理のためのエンベデッドコントローラと、キーボード１０４、パワーボタン１０５およびタッチパッド１０６を制御するためのキーボードコントローラとが集積された１チップマイクロコンピュータである。即ち、このＥＣ／ＫＢＣ１５は、第１に、ＰＳＣ１６と協働して本コンピュータ１の各部への電力供給制御を司り、第２に、本コンピュータ１が提供するユーザインタフェースのインプット側を司る。ＥＣ／ＫＢＣ１５は、本コンピュータ１が電源オフ中も動作し、また、ＣＥＣコントローラ１６に対する電力供給を、本コンピュータ１が電源オフ中も継続して実行する（図４中のハッチングが施された各部が、電源オフ状態において電力供給が遮断される）。
【００２５】
そして、ＣＥＣコントローラ１７は、ＨＤＭＩコネクタ１８を介して動作制御用の各種コマンドを入出力するためのデータ転送制御を実行するデバイスである。図中のＣＥＣ信号線が、各種コマンドを転送するための信号線である。前述のように、このＣＥＣコントローラ１７に対する電力供給は、ＥＣ／ＫＢＣ１５によって、本コンピュータ１が電源オフ中も継続して行われる。
【００２６】
即ち、この第１実施形態における本コンピュータ１は、電源オフ中も電力供給が継続して行われる当該ＣＥＣコントローラ１７を搭載することにより、電源オフ状態にあっても接続相手からの操作指示に応じて動作制御を行うことを実現する。そのために、本コンピュータ１のＣＥＣコントローラ１７は、ＣＥＣ信号線のほか、ＤＤＣ信号線およびＨＰＤ信号線を使用可能となっている。これにより、図４に示すように、グラフィックスコントローラ１４に対する電力供給が遮断される電源オフ状態にあっても、ＨＰＤ信号線を使って映像機器２との電気的な接続状態を検出し、かつ、ＣＥＣ信号線によって入力する各種コマンドに基づく動作制御を行うために必要なＥＤＩＤ情報（当該ＥＤＩＤ情報に含まれる映像機器２の物理アドレス）を、ＤＤＣ信号線を使って取得することが可能となる。
【００２７】
本コンピュータ１が電源オフの状態において、ＨＰＤ信号線上のＨＰＤ信号が接続確立を示す値になった場合、ＣＥＣコントローラ１６がこの状態遷移を検出し、ＤＤＣ信号線を使って、接続相手である映像機器２のＥＤＩＤ情報を取得する。これにより、ＣＥＣ信号線から各種コマンドを受け付ける体勢を整える。そして、映像機器２から電源オンを要求するコマンドがＣＥＣ信号線から入力された場合、ＣＥＣコントローラ１６は、電源オン状態への移行をＥＣ／ＫＢＣ１５に指示する。この指示を受けたＥＣ／ＫＢＣ１５は、各部への電力供給をＰＳＣ１６に要求する。
【００２８】
なお、本コンピュータ１が電源オンの状態において、ＨＰＤ信号線上のＨＰＤ信号が接続確立を示す値になった場合には、グラフィックスコントローラ１４がこの状態遷移を検出し、ＤＤＣ信号線を使って、接続相手である映像機器２のＥＤＩＤ情報を取得する。この情報は、ＬＰＣバス経由でＣＥＣコントローラ１６に通知され、ＣＥＣ信号線から各種コマンドを受け付ける体勢が整えられる。
【００２９】
ところで、グラフィックスコントローラ１４およびＣＥＣコントローラ１７の双方から使用可能に配線されることになるＤＤＣ信号線は、映像機器２との通信アービトレーション処理機能が実装されていないことが多い。従って、グラフィックスコントローラ１４からとＣＥＣコントローラ１７からとの同時通信が保証されない場合が多い。そこで、ＣＥＣコントローラ１７は、本コンピュータ１が電源オン状態にある時、このＤＤＣ信号線の使用を禁止する機構を備える（図３中のＣＥＣコントローラ１７に導かれるＤＤＣ信号線の破線が、この禁止状態を示している）。なお、ＨＰＤ信号線については、このような排他制御は必要なく、電源オン状態においては、グラフィックスコントローラ１４およびＣＥＣコントローラ１７の双方で、映像機器２との電気的な接続状態を監視することが可能である。
【００３０】
このように、電源オン中はＤＤＣ信号線の使用を禁止し、電源オフ中のみＤＤＣ信号の使用を許可する機構を備える、電源オフ中も電力供給が継続して行われるＣＥＣコントローラ１７を搭載することによって、この第１実施形態の本コンピュータ１は、電源オフ状態にあっても接続相手からの操作指示に応じて動作制御を行うことを実現する。
【００３１】
（第２実施形態）
次に、図５および図６を参照して、本発明の第２実施形態を説明する。図５および図６は、（第２実施形態における）本コンピュータ１のシステム構成を示す図であり、図５には本コンピュータ１の電源オン時における状態、図６には本コンピュータ１の電源オフ時における状態が併せて示されている。
【００３２】
前述の第１実施形態では、従来のシステム構成に、ＣＥＣコントローラ１６を別途追加して搭載した。この第１実施形態のコンピュータ１に対して、この第２実施形態のコンピュータ１においては、前述の第１実施形態のＣＥＣコントローラ１６に相当する機能を有するＣＥＣ制御部１５１をＥＣ／ＫＢＣ１５に内蔵する。
【００３３】
ＥＣ／ＫＢＣ１５は、電源オフ中も動作するので、当該ＥＣ／ＫＢＣ１５に内蔵されるＣＥＣ制御部１５１も当然電源オフ中も動作する。また、このＣＥＣ制御部１５１が、本コンピュータ１が電源オン状態にある時にはＤＤＣ信号線の使用を禁止する機構を備えることにより、グラフィックスコントローラ１４からとＣＥＣコントローラ１７との間の排他制御を実現する。
【００３４】
このように、ＥＣ／ＫＢＣ１５にＣＥＣ制御部１５１を内蔵する第２実施形態の本コンピュータ１においても、前述の第１実施形態のコンピュータ１と同様、電源オフ状態にあっても接続相手からの操作指示に応じて動作制御を行うことが実現される。
【００３５】
（第３実施形態）
次に、図７および図８を参照して、本発明の第３実施形態を説明する。図７および図８６は、（第３実施形態における）本コンピュータ１のシステム構成を示す図であり、図７には本コンピュータ１の電源オン時における状態、図８には本コンピュータ１の電源オフ時における状態が併せて示されている。
【００３６】
前述の第２実施形態では、（第１実施形態のＣＥＣコントローラ１６に相当する機能を有する）ＣＥＣ制御部１５１をＥＣ／ＫＢＣ１５に内蔵した。この第２実施形態のコンピュータ１に対して、この第３実施形態のコンピュータ１においては、前述の第１実施形態のＣＥＣコントローラ１６に相当する機能を有するＣＥＣ制御部１４１をグラフィックスコントローラ１４に内蔵する。
【００３７】
より具体的には、グラフィックスコントローラ１４の内部に、異なる電源ブロックを用意し、その一方にＣＥＣ制御部１４１を配置する。そして、ＥＣ／ＫＢＣ１５は、電源オン状態においては、グラフィックスコントローラ１４全体に電力供給を行い、電源オフ状態においては、グラフィックスコントローラ１４中のＣＥＣ制御部１４１部分のみに電力供給を行うように電力供給制御を実行する。
【００３８】
この第３実施形態の本コンピュータ１の場合、ＴＭＤＳ信号線、ＤＤＣ信号線、ＨＰＤ信号線、ＣＥＣ信号線のすべての信号線をグラフィックスコントローラ１４にのみ配線させれば良いという利点が生じる。
【００３９】
また、本コンピュータ１では、グラフィックスコントローラ１４中のＣＥＣ制御部１４１部分のみに電力供給が行われている電源オフ状態において、映像機器２から電源オンを要求するコマンドがＣＥＣ信号線から入力された場合に、ＣＥＣ制御部１４１からＥＣ／ＫＢＣ１５に対して電源オン状態への移行を指示するためのWakeup信号線が、グラフィックスコントローラ１４とＥＣ／ＫＢＣ１５との間に敷設される。これによって、ＰＳＣ１６による各部への電力供給をＥＣ／ＫＢＣ１５に要求させることができる。
【００４０】
このように、グラフィックスコントローラ１４にＣＥＣ制御部１４１を内蔵し、グラフィックスコントローラ１４とＥＣ／ＫＢＣ１５との間にWakeup信号線を敷設する第３実施形態の本コンピュータ１においても、前述の第１実施形態のコンピュータ１および前述の第２実施形態のコンピュータ１と同様、電源オフ状態にあっても接続相手からの操作指示に応じて動作制御を行うことが実現される。
【００４１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４２】
【図１】この発明の実施形態に係る情報処理装置（パーソナルコンピュータ）の外観を示す図
【図２】同実施形態に係る情報処理装置の一利用態様（映像機器と接続して利用する態様）を示す図
【図３】同第１実施形態の情報処理装置のシステム構成および電源オン時における状態を併せて示す図
【図４】同第１実施形態の情報処理装置のシステム構成および電源オフ時における状態を併せて示す図同実施形態の情報処理装置の構成を示す図
【図５】同第２実施形態の情報処理装置のシステム構成および電源オン時における状態を併せて示す図
【図６】同第２実施形態の情報処理装置のシステム構成および電源オフ時における状態を併せて示す図同実施形態の情報処理装置の構成を示す図
【図７】同第３実施形態の情報処理装置のシステム構成および電源オン時における状態を併せて示す図
【図８】同第３実施形態の情報処理装置のシステム構成および電源オフ時における状態を併せて示す図
【符号の説明】
【００４３】
１…情報処理装置（パーソナルコンピュータ）、２…映像機器（テレビジョン放送受信機）、１１…ＣＰＵ、１２…チップセット、１３…主メモリ、１４…グラフィックスコントローラ、１５…エンベデッドコントローラ／キーボードコントローラ（ＥＣ／ＫＢＣ）、１６電源制御回路（ＰＳＣ）、１７…ＣＥＣコントローラ、１８…ＨＤＭＩコネクタ、１０１…コンピュータ本体、１０２…ディスプレイユニット、１０３…ＬＣＤ、１０４…キーボード、１０５…パワーボタン、１０６…タッチパッド。
【図１】
0004309451.tif 000002
【図２】
0004309451.tif 000003
【図３】
0004309451.tif 000004
【図４】
0004309451.tif 000005
【図５】
0004309451.tif 000006
【図６】
0004309451.tif 000007
【図７】
0004309451.tif 000008
【図８】
0004309451.tif 000009